(57)【要約】【課題】本発明は、点灯装置および照明装置に関し、電源電圧の変動に対して、光源に流れる電流の変動を抑制できる点灯装置および照明装置を得ることを目的とする。【解決手段】本発明に係る点灯装置は、直流電源から電力を供給され、スイッチング素子のオンオフにより光源を点灯させるコンバータと、コンバータの出力電流を検出し、出力電流と目標値との差分を打ち消すようにスイッチング素子のオン時間を制御するオン時間制御部と、出力電流を検出し、出力電流が目標値以上の第１閾値に到達すると、オン時間制御部がスイッチング素子をオフするタイミングよりも早くスイッチング素子をオフする電流抑制部と、出力電流を検出し、出力電流が目標値以下の第２閾値よりも小さいときには、オン時間制御部がスイッチング素子をオフするタイミングの経過後もスイッチング素子がオンした状態を維持する電流維持部と、を備える。【選択図】図２
2019040772.tif 000002
【特許請求の範囲】
【請求項１】
直流電源から電力を供給され、スイッチング素子のオンオフにより光源を点灯させるコンバータと、
前記コンバータの出力電流を検出し、前記出力電流と目標値との差分を打ち消すように前記スイッチング素子のオン時間を制御するオン時間制御部と、
前記出力電流を検出し、前記出力電流が前記目標値以上の第１閾値に到達すると、前記オン時間制御部が前記スイッチング素子をオフするタイミングよりも早く前記スイッチング素子をオフする電流抑制部と、
前記出力電流を検出し、前記出力電流が前記目標値以下の第２閾値よりも小さいときには、前記オン時間制御部が前記スイッチング素子をオフするタイミングの経過後も前記スイッチング素子がオンした状態を維持する電流維持部と、
を備えることを特徴とする点灯装置。
【請求項２】
前記オン時間制御部は、前記出力電流が前記目標値よりも大きい場合に前記オン時間を短くし、前記出力電流が前記目標値よりも小さい場合に前記オン時間を長くし、
前記オン時間制御部が前記オン時間を短くするのに先んじて、前記電流抑制部は前記スイッチング素子をオフし、
前記オン時間制御部が前記オン時間を長くするのに先んじて、前記電流維持部は前記スイッチング素子がオンした状態を維持することを特徴とする請求項１に記載の点灯装置。
【請求項３】
前記オン時間制御部は、前記出力電流に対応する電圧と前記目標値に対応する電圧とを比較する第１比較器を備え、
前記電流抑制部は、前記出力電流に対応する電圧と前記第１閾値に対応する電圧とを比較する第２比較器を備え、
前記電流維持部は、前記出力電流に対応する電圧と前記第２閾値に対応する電圧とを比較する第３比較器を備え、
前記第１比較器の出力電圧は、前記第２比較器および前記第３比較器の出力電圧よりも遅れて出力されることを特徴とする請求項１または２に記載の点灯装置。
【請求項４】
請求項１〜３の何れか１項に記載の点灯装置と、
前記光源と、
を備えることを特徴とする照明装置。
【発明の詳細な説明】
【技術分野】
【０００１】
本発明は、点灯装置および照明装置に関する。
【背景技術】
【０００２】
特許文献１には、ＬＥＤ点灯装置が開示されている。このＬＥＤ点灯装置は、出力電流によってＬＥＤを点灯させる直流変換装置を備える。直流変換装置はスイッチング素子を備える。直流変換装置への入力電圧の変動時には、スイッチング素子の駆動信号のオンデューティーを狭めて出力電流のピーク値を抑制する。
【先行技術文献】
【特許文献】
【０００３】
【特許文献１】特許第５４７２６９１号公報
【発明の概要】
【発明が解決しようとする課題】
【０００４】
照明器具が備える半導体光源を点灯制御するとき、一般に定電流制御されるスイッチング電源が使用されることが多い。ここで、スイッチング電源が定常動作中に、なんらかの事情により電源供給が変動する場合がある。一般に、スイッチング電源はフィードバック制御される。このため、電源供給が変動するとその変動を補うようにフィードバック回路が動作する。しかし、フィードバック制御により半導体光源に流れる電流が回復するまでの間、半導体光源に流れる電流は短時間であっても変動する。従って、半導体光源が発する光が変動する。
【０００５】
ここで、太陽光電池またはバッテリなどの直流給電の実用化に伴い、照明器具に直流給電が適用される場合がある。直流給電の場合、例えば太陽光発電がバッテリと切替わる際などに直流給電電圧が変動する、いわゆるサグ状態が発生し易い。このため、照明器具の光が変動するちらつきが発生し易く、使用者は不便性を感じることがあった。
【０００６】
本発明は、上述の課題を解決するためになされたもので、電源電圧の変動に対して、光源に流れる電流の変動を抑制できる点灯装置および照明装置を得ることを目的とする。
【課題を解決するための手段】
【０００７】
本発明に係る点灯装置は、直流電源から電力を供給され、スイッチング素子のオンオフにより光源を点灯させるコンバータと、該コンバータの出力電流を検出し、該出力電流と目標値との差分を打ち消すように該スイッチング素子のオン時間を制御するオン時間制御部と、該出力電流を検出し、該出力電流が該目標値以上の第１閾値に到達すると、該オン時間制御部が該スイッチング素子をオフするタイミングよりも早く該スイッチング素子をオフする電流抑制部と、該出力電流を検出し、該出力電流が該目標値以下の第２閾値よりも小さいときには、該オン時間制御部が該スイッチング素子をオフするタイミングの経過後も該スイッチング素子がオンした状態を維持する電流維持部と、を備える。
【発明の効果】
【０００８】
本発明に係る点灯装置では、コンバータの出力電流が第１閾値に到達するとスイッチング素子がオフする。また、コンバータの出力電流が第２閾値よりも小さいときにはスイッチング素子はオンした状態を維持する。このため、電源電圧の変動に対して、光源に流れる電流の変動を抑制できる。
【図面の簡単な説明】
【０００９】
【図１】実施の形態１に係る照明装置の回路ブロック部である。
【図２】実施の形態１に係る定電流制御部の回路ブロック部である。
【図３】直流電圧が上昇した場合の照明装置の動作を説明する図である。
【図４】直流電圧が低下した場合の照明装置の動作を説明する図である。
【発明を実施するための形態】
【００１０】
本発明の実施の形態に係る点灯装置および照明装置について図面を参照して説明する。同じ又は対応する構成要素には同じ符号を付し、説明の繰り返しを省略する場合がある。
【００１１】
実施の形態１．
図１は、実施の形態１に係る照明装置１００の回路ブロック部である。照明装置１００は、点灯装置１０とＬＥＤ光源部５０を備える。点灯装置１０は、直流電源ＤＣから直流電圧が供給され、ＬＥＤ光源部５０が備える光源５１を点灯させる。直流電源ＤＣは、例えば太陽光電池、バッテリまたは直流給電システムである。
【００１２】
ＬＥＤ光源部５０は、直列に接続された複数の光源５１を備える。光源５１は半導体光源である。本実施の形態では、光源５１はＬＥＤである。ＬＥＤ光源部５０が備える光源５１の数は１つ以上であれば良い。また、ＬＥＤ光源部５０において、複数の光源５１は、並列または直並列に接続されても良い。
【００１３】
点灯装置１０は、コンバータ２０と定電流制御部３０とを備える。コンバータ２０は、スイッチング素子Ｑ１を備える。スイッチング素子Ｑ１は、例えばＭＯＳＦＥＴ（Ｍｅｔａｌ−Ｏｘｉｄｅ−Ｓｅｍｉｃｏｎｄｕｃｔｏｒ  Ｆｉｅｌｄ−Ｅｆｆｅｃｔ  Ｔｒａｎｓｉｓｔｏｒ）である。直流電源ＤＣの正電極には、スイッチング素子Ｑ１のドレインが接続される。スイッチング素子Ｑ１のソースには、ダイオードＤ１のカソードおよびインダクタＬ１の一端が接続されている。スイッチング素子Ｑ１のゲートには、定電流制御部３０のＶｇ端子が接続される。
【００１４】
インダクタＬ１の他端には、コンデンサＣ１の正電極が接続される。コンデンサＣ１と並列にＬＥＤ光源部５０が接続されている。光源５１のアノード側がコンデンサＣ１の正電極と接続され、カソード側がコンデンサＣ１の負電極と接続されている。コンデンサＣ１の負電極およびＬＥＤ光源部５０のカソード側には、抵抗Ｒ１の一端が接続される。抵抗Ｒ１の他端は、接地用端子に接続される。
【００１５】
ダイオードＤ１のアノードおよび直流電源ＤＣの負電極も接地用端子に接続されている。よって、直流電源ＤＣとＬＥＤ光源部５０の間に、スイッチング素子Ｑ１、ダイオードＤ１およびインダクタＬ１で構成されるバックコンバータ回路が接続される。
【００１６】
定電流制御部３０は、コンバータ２０を制御する制御ＩＣである。定電流制御部３０は、Ｖｇ端子およびＶｃｃ端子を備える。Ｖｃｃ端子には、制御ＩＣが動作するための制御電源Ｖｃｃ１が供給される。また、抵抗Ｒ１の一端は抵抗Ｒ２を介して電流検出端子３１に接続される。また、インダクタＬ１は２次巻き線を有する。インダクタＬ１の２次巻き線は、抵抗Ｒ３を介して定電流制御部３０のｚｃｄ端子に接続される。２次巻き線を流れる電流は抵抗Ｒ３により限流され、ｚｃｄ端子に入力される。
【００１７】
以下に、コンバータ２０の出力電流、つまりＬＥＤ光源部５０を流れる電流を定電流制御する動作について示す。スイッチング素子Ｑ１のオン時には直流電源ＤＣからインダクタＬ１を介して、互いに並列接続されたコンデンサＣ１およびＬＥＤ光源部５０に高周波電流が供給される。コンデンサＣ１は、インダクタＬ１から得られる高周波電流を平滑してＬＥＤ光源部５０に供給する。これにより、光源５１に電力が供給され光源５１が点灯する。
【００１８】
スイッチング素子Ｑ１のオフ時にはスイッチング素子Ｑ１がオンしているときに蓄えられたインダクタＬ１のエネルギーが、コンデンサＣ１およびＬＥＤ光源部５０にダイオードＤ１を介して放出される。つまり、コンバータ２０は、インダクタＬ１に蓄えられたエネルギーを光源５１に供給することで、光源５１を点灯させる。
【００１９】
このように、コンバータ２０は、直流電源ＤＣから電力を供給され、スイッチング素子Ｑ１のオンオフにより光源５１を点灯させる。スイッチング素子Ｑ１がスイッチングすると、コンデンサＣ１およびＬＥＤ光源部５０に流れる電流が抵抗Ｒ１に流れる。コンデンサＣ１およびＬＥＤ光源部５０に流れる電流はインダクタＬ１に流れるコイル電流である。つまり、抵抗Ｒ１の両端に印加される電圧は、コイル電流に対応する。コイル電流の平均値は、ＬＥＤ光源部５０に流れる電流に等しい。
【００２０】
抵抗Ｒ１に発生した電圧は、抵抗Ｒ２を介して、電流検出端子３１で検出される。図２は、実施の形態１に係る定電流制御部３０の回路ブロック部である。定電流制御部３０は、オン時間制御部３２と、電流抑制部３３と、電流維持部３４とを備える。なお、図２において、定電流制御部３０のオン時間制御部３２、電流抑制部３３および電流維持部３４以外の部分は省略されている。
【００２１】
オン時間制御部３２は、第１比較器ＯＰ１を備える。第１比較器ＯＰ１の−端子には抵抗Ｒ４を介して電流検出端子３１が接続される。第１比較器ＯＰ１の＋端子には電圧Ｖｒｅｆ０が入力される。電圧Ｖｒｅｆ０は、コンバータ２０の出力電流の目標値に対応する電圧である。第１比較器ＯＰ１の出力と−端子との間にはコンデンサＣ２が接続される。また、第１比較器ＯＰ１の出力にはオン幅制御回路３５が接続される。
【００２２】
電流検出端子３１で検出した抵抗Ｒ１の電圧は、第１比較器ＯＰ１の−端子に入力され、電圧Ｖｒｅｆ０と比較される。つまり、第１比較器ＯＰ１は、コンバータ２０の出力電流に対応する電圧と目標値に対応する電圧とを比較する。第１比較器ＯＰ１は、−端子に入力される電圧が電圧Ｖｒｅｆ０と一致するように出力電圧を変更する。従って、第１比較器ＯＰ１は、出力電流が目標値よりも大きい場合にオン時間を短くし、出力電流が目標値よりも小さい場合にオン時間を長くするように出力電圧を変更する。
【００２３】
第１比較器ＯＰ１の比較結果は、オン幅制御回路３５で検出される。オン幅制御回路３５は、第１比較器ＯＰ１の出力電圧に応じてスイッチング素子Ｑ１のオン時間を制御する。オン幅制御回路３５の出力は、図示しない駆動回路などを介してＶｇ端子と接続されている。駆動回路は、スイッチング素子Ｑ１へ駆動信号を出力する。このため、オン幅制御回路３５が出力するオン時間の指示に従い、スイッチング素子Ｑ１がスイッチングする。
【００２４】
以上から、オン時間制御部３２は、コンバータ２０の出力電流を検出し、出力電流と目標値との差分を打ち消すようにスイッチング素子Ｑ１のオン時間を制御する。つまり、オン時間制御部３２は、コンバータ２０の出力電流が目標値と一致するようにスイッチング素子Ｑ１のオン時間を制御する。オン時間制御部３２は、コンバータ２０の出力電流が目標値よりも大きい場合にオン時間を短くし、出力電流が目標値よりも小さい場合にオン時間を長くする。従って、オン時間制御部３２によってＬＥＤ光源部５０を流れる電流を一定にする定電流制御ができる。
【００２５】
また、インダクタＬ１の２次巻き線に発生する電圧はｚｃｄ端子で検出される。定電流制御部３０は、ｚｃｄ端子からスイッチング素子Ｑ１がオフしてインダクタＬ１からエネルギーが放出されたことを検出すると、再びスイッチング素子Ｑ１をオンさせる臨界動作を行っている。なお、コンデンサＣ２により、抵抗Ｒ１に発生する電圧は積分される。
【００２６】
電流抑制部３３は、第２比較器ＣＰ１を備える。第２比較器ＣＰ１の−端子には電流検出端子３１が接続される。第２比較器ＣＰ１の＋端子には電圧Ｖｒｅｆ１が入力される。第２比較器ＣＰ１の出力端子は、オフ制御回路３６に接続されている。第２比較器ＣＰ１は、コンバータ２０の出力電流に対応する電圧と第１閾値に対応する電圧Ｖｒｅｆ１とを比較する。
【００２７】
第２比較器ＣＰ１は、出力電流が第１閾値に到達するとスイッチング素子Ｑ１をオフするように出力電圧を変更する。第１閾値は、出力電流の目標値以上の値である。第２比較器ＣＰ１の比較結果は、オフ制御回路３６で検出される。オフ制御回路３６は、第２比較器ＣＰ１の出力電圧に応じてスイッチング素子Ｑ１をオフさせる。
【００２８】
電流維持部３４は、第３比較器ＣＰ２を備える。第３比較器ＣＰ２の＋端子には電流検出端子３１が接続される。第３比較器ＣＰ２の−端子には電圧Ｖｒｅｆ２が入力される。第３比較器ＣＰ２の出力端子は、オン制御回路３７に接続されている。第３比較器ＣＰ２は、コンバータ２０の出力電流に対応する電圧と第２閾値に対応する電圧Ｖｒｅｆ２とを比較する。
【００２９】
第３比較器ＣＰ２は、出力電流が第２閾値よりも小さいときにスイッチング素子Ｑ１がオンした状態を維持する。第２閾値は、出力電流の目標値以下の値である。第３比較器ＣＰ２の比較結果は、オン制御回路３７で検出される。オン制御回路３７は、第３比較器ＣＰ２の出力電圧に応じてスイッチング素子Ｑ１がオンした状態を維持する。
【００３０】
ここで、なんらかの事情により直流電源ＤＣの直流電圧が上昇したとする。図３は、直流電圧が上昇した場合の照明装置１００の動作を説明する図である。まず比較例として、電流抑制部３３がない場合の動作について説明する。時刻ｔ１において、直流電源ＤＣの直流電圧が上昇する。直流電源ＤＣの直流電圧の上昇の直後では、スイッチング素子Ｑ１のオン時間は、直流電圧の上昇前と同じである。従って、破線１６０に示されるように、コイル電流のピーク値は上昇する。
【００３１】
その後、定電流制御部３０のフィードバック制御により、コイル電流のピーク値は徐々に低下し、定電流制御状態に戻る。従って、フィードバック制御により定電流制御状態に戻るまでに、コイル電流のピーク値が定常点灯時よりも高い期間が発生する。
【００３２】
ここで、電流抑制部３３がない場合、コイル電流のピーク値は、直流電源ＤＣの直流電圧、オン時間、インダクタＬ１のインダクタンス値で決まる値まで上昇する。このため、直流電圧が大きく上昇するほどコイル電流のピーク値が大きくなる。この結果、破線１６１に示されるように、光源５１を流れるＬＥＤ電流が大きく変化し、光源５１が発する光の変動が大きくなる可能性がある。
【００３３】
次に、直流電圧が上昇した場合の照明装置１００の動作について説明する。時刻ｔ１において、直流電源ＤＣの直流電圧が上昇する。このとき、スイッチング素子Ｑ１のオン時間は、直流電圧の上昇前と同じである。このため、実線６０に示されるように、インダクタＬ１を流れるコイル電流のピーク値が、目標値である定常点灯時の値よりも高くなる。
【００３４】
時刻ｔ２において、コイル電流が第１閾値に達する。コイル電流が第１閾値に達すると、電流抑制部３３がスイッチング素子Ｑ１をオフする。電流抑制部３３は、オン時間制御部３２の出力信号に依らずにスイッチング素子Ｑ１をオフさせる。このため、コンバータ２０の出力電流が第１閾値に到達すると、オン時間制御部３２がスイッチング素子Ｑ１をオフするタイミングよりも早くスイッチング素子Ｑ１がオフする。
【００３５】
ここで、第１閾値≒Ｖｒｅｆ１／Ｒ１である。第１閾値は固定値でもよい。また、第１閾値は、定常点灯時のコンバータ２０の出力電流から演算等により設定されても良い。また、第１閾値は、スイッチング素子Ｑ１が前回スイッチングしたときのコイル電流のピーク値に基づき設定されても良い。この場合、例えば第１閾値はスイッチング素子Ｑ１が前回スイッチングしたときのコイル電流のピーク値の１．１倍に設定される。
【００３６】
その後、コイル電流が定常点灯時よりも大きくなったことにより、時刻ｔ３において、オン時間制御部３２がオン時間を短く制御する。時刻ｔ３以降、定電流制御部３０のフィードバック制御により、コイル電流のピーク値はスイッチング毎に低下する。時刻ｔ４において、コイル電流は定常点灯時の値となる。従って、上昇した直流電圧においてもＬＥＤ光源部５０は定電流制御状態に戻る。なお、定常点灯時のコイル電流のピーク値は、およそＶｒｅｆ０／Ｒ１×２である。
【００３７】
本実施の形態では、電流抑制部３３は、コンバータ２０の出力電流を検出し、オン時間制御部３２がスイッチング素子Ｑ１をオフするタイミングよりも早くスイッチング素子Ｑ１をオフする。また、電流抑制部３３は、オン時間制御部３２がフィードバック制御によりオン時間を短くするのに先んじて、スイッチング素子Ｑ１をオフする。つまり、電流抑制部３３は、コイル電流が直流電圧、オン時間、インダクタＬ１のインダクタンス値で決まる値に到達する前に、第１閾値に到達した時点でスイッチング素子Ｑ１をオフする。
【００３８】
このため、実線６０に示されるように、直流電圧が大きく上昇した場合にも、コイル電流のピーク値は第１閾値となる。従って、実線６１に示されるように、電流抑制部３３を備えない場合と比較して、電源電圧の変動に対するＬＥＤ電流の変動を抑制できる。よって、光源５１のちらつきを抑制できる。
【００３９】
ここで、第１比較器ＯＰ１にはコンデンサＣ２が接続されている。このため、第１比較器ＯＰ１の出力電圧は、第２比較器ＣＰ１の出力電圧よりも遅れて出力される。従って、直流電圧の上昇時に、オン時間制御部３２が出力するオン時間を短くする信号は、電流抑制部３３が出力するスイッチング素子Ｑ１をオフする信号よりも遅れて出力される。これにより、オン幅制御回路３５がスイッチング素子Ｑ１を制御する信号と、オフ制御回路３６がスイッチング素子Ｑ１を制御する信号が競合することを防止できる。
【００４０】
次に、なんらかの事情により直流電源ＤＣの直流電圧が低下したとする。図４は、直流電圧が低下した場合の照明装置１００の動作を説明する図である。まず比較例として、電流維持部３４がない場合の動作について説明する。時刻ｔ１において、直流電源ＤＣの直流電圧が低下する。直流電源ＤＣの直流電圧の低下の直後では、スイッチング素子Ｑ１のオン時間は、直流電圧の低下前と同じである。従って、破線１６２に示されるように、コイル電流のピーク値は低下する。
【００４１】
その後、定電流制御部３０のフィードバック制御により、コイル電流のピーク値は徐々に上昇し、定電流制御状態に戻る。従って、フィードバック制御により定電流制御状態に戻るまでに、コイル電流のピーク値が定常点灯時よりも低い期間が発生する。
【００４２】
このとき、コイル電流のピーク値は、直流電源ＤＣの直流電圧、オン時間、インダクタＬ１のインダクタンス値で決まる値まで低下する。このため、直流電圧が大きく低下するほどコイル電流のピーク値が小さくなる。この結果、破線１６３に示されるように、光源５１を流れるＬＥＤ電流が大きく変化し、光源５１が発する光の変動が大きくなる可能性がある。
【００４３】
次に、直流電圧が低下した場合の照明装置１００の動作について説明する。時刻ｔ１において、直流電源ＤＣの直流電圧が低下する。このとき、スイッチング素子Ｑ１のオン時間は、直流電圧の低下前と同じである。このため、実線６２に示されるように、インダクタＬ１を流れるコイル電流のピーク値が、目標値である定常点灯時の値よりも低くなる。
【００４４】
ここで、電流維持部３４は、コンバータ２０の出力電流が第２閾値よりも小さいときには、オン時間制御部３２がスイッチング素子Ｑ１をオフするタイミングの経過後もスイッチング素子Ｑ１がオンした状態を維持する。コイル電流が第２閾値に達する前にオン時間制御部３２がスイッチング素子Ｑ１をオフする信号を出力しても、電流維持部３４はスイッチング素子Ｑ１のオン状態を継続させる。このため、コンバータ２０の出力電流が第２閾値よりも小さいとき、オン時間制御部３２が設定するオン時間の経過後であってもスイッチング素子Ｑ１のオン状態が維持される。
【００４５】
時刻ｔ２において、コイル電流が第２閾値に達すると、電流維持部３４はスイッチング素子Ｑ１のオン状態の維持を終了する。これにより、スイッチング素子Ｑ１はオフする。
【００４６】
ここで、第２閾値≒Ｖｒｅｆ２／Ｒ１である。第２閾値は固定値でもよい。また、第２閾値は、定常点灯時のコンバータ２０の出力電流から演算等により設定されても良い。また、第２閾値は、スイッチング素子Ｑ１が前回スイッチングしたときのコイル電流のピーク値に基づき設定されても良い。この場合、例えば第２閾値はスイッチング素子Ｑ１が前回スイッチングしたときのコイル電流のピーク値の０．９倍に設定される。
【００４７】
その後、コイル電流が定常点灯時よりも小さくなったため、時刻ｔ３において、オン時間制御部３２がオン時間を長く制御する。その後、定電流制御部３０のフィードバック制御により、コイル電流のピーク値はスイッチング毎に上昇する。時刻ｔ４において、コイル電流は定常点灯時の値となる。従って、低下した直流電圧においてもＬＥＤ光源部５０は定電流制御状態に戻る。
【００４８】
本実施の形態では、電流維持部３４はコンバータ２０の出力電流を検出し、出力電流が第２閾値よりも小さいときには、オン時間制御部３２がスイッチング素子Ｑ１をオフするタイミングの経過後もスイッチング素子Ｑ１がオンした状態を維持する。また、電流維持部３４は、オン時間制御部３２がフィードバック制御によりオン時間を長くするのに先んじて、スイッチング素子Ｑ１がオンした状態を維持する。つまり、電流維持部３４は、コイル電流が直流電圧、オン時間、インダクタＬ１のインダクタンス値で決まる値に到達した後も、スイッチング素子Ｑ１のオン状態を維持する。
【００４９】
この結果、コイル電流は第２閾値まで達する。このため、直流電圧が大きく低下した場合にも、実線６２に示されるように、コイル電流のピーク値は第２閾値となる。従って、実線６３に示されるように、電流維持部３４を備えない場合と比較して、電源電圧の変動に対するＬＥＤ電流の変動を抑制できる。よって、光源５１のちらつきを抑制できる。
【００５０】
ここで、第１比較器ＯＰ１にはコンデンサＣ２が接続されている。このため、第１比較器ＯＰ１の出力電圧は、第３比較器ＣＰ２の出力電圧よりも遅れて出力される。直流電圧の低下時には、オン時間制御部３２が出力するオン時間を長くする信号は、電流維持部３４が出力するスイッチング素子Ｑ１がオンした状態を維持する信号よりも遅れて出力される。これにより、オン幅制御回路３５がスイッチング素子Ｑ１を制御する信号と、オン制御回路３７がスイッチング素子Ｑ１を制御する信号が競合することを防止できる。
【００５１】
以上から、本実施の形態では電源電圧の上昇および低下に対して、光源５１に流れる電流の変動を抑制できる。従って、光源５１のちらつきを抑制し、使用者にとって不便の少ない照明装置を提供できる。
【００５２】
本実施の形態では、コンバータ２０を臨界動作させた。これに限らず、コンバータ２０は周波数が固定されたオンｄｕｔｙ制御されても良い。直流電源ＤＣの電圧が高いほどスイッチング素子Ｑ１のオン時間が短くなる制御であれば本実施の形態を適用できる。また、図１に示されるコンバータ２０は一例である。スイッチング素子Ｑ１のオン時に直流電源からインダクタＬ１を介して光源５１に電力を供給し、スイッチング素子Ｑ１のオフ時にはインダクタＬ１に蓄えられたエネルギーを光源５１に供給するあらゆる回路がコンバータ２０として採用できる。
【符号の説明】
【００５３】
１００  照明装置、１０  点灯装置、２０  コンバータ、３２  オン時間制御部、３３  電流抑制部、３４  電流維持部、５０  ＬＥＤ光源部、５１  光源、ＤＣ  直流電源、Ｑ１  スイッチング素子、ＯＰ１  第１比較器、ＣＰ１  第２比較器、ＣＰ２  第３比較器
【図１】
2019040772.tif 000003
【図２】
2019040772.tif 000004
【図３】
2019040772.tif 000005
【図４】
2019040772.tif 000006